(57)【特許請求の範囲】
【請求項１】
キャビネットの扉に取り付けられるハウジングと、このハウジングに対し水平軸心の回りで回動自在に上端近傍が枢支されたハンドルとを備え、前記ハンドルを手前に引く操作によってキャビネット側の係止片に対する係止が外れて扉が開かれるようにしたハンドル装置であって、
ハウジングにはハンドルをハウジングに対して下端を飛び出させて傾ける方向に付勢するハンドル付勢手段を設け、
ハンドルの下端部にはハンドルが閉状態のときにハウジングに錠止する錠前ユニットが設けられ、
前記ハウジングの下端部にはハンドルの錠前ユニットの止め金板に係合する方向に受け金付勢手段によりばね付勢された受け金が回動可能に設けられ、
前記錠前ユニットに、前記止め金板を、前記受け金に係合可能な姿勢に付勢する止め金板付勢手段が設けられ、
前記止め金板は、前記錠前ユニットの錠前操作のみにより前記受け金に係合しない姿勢とされて、前記ハンドル付勢手段の付勢力によりハンドルの下端が飛び出させて傾ける方向に移動されることを許容する状態となる一方、前記錠前ユニットの錠前非操作時には前記止め金板付勢手段の付勢力により前記受け金に係合可能な姿勢とされ、
前記受け金に、錠前非操作状態でハンドルが開状態から閉状態に回動される際に、前記錠前ユニットの止め金板に当接して、ハンドルが閉状態側に回動されることを許容する許容回動方向に前記受け金を回動させる傾斜面と、錠前非操作状態でハンドルが閉状態位置まで回動された際に、前記受け金を前記受け金付勢手段の付勢力により前記許容回動方向とは逆方向に回動されて所定位置に戻され前記錠前ユニットの止め金板に係合する掛け止め部とが形成されている
ことを特徴とするハンドル装置。
【発明の詳細な説明】
【技術分野】
【０００１】
本発明は、機器類を格納したボックス本体に扉を係止するハンドル装置の技術に関する。
【背景技術】
【０００２】
特許文献１には、従来から用いられるハンドル装置の錠前ユニットが記載されている。錠前ユニットは公知のシリンダー錠で構成されておりローターの内端部に連動装備したカム、あるいはローター自体に形成した偏心突起が錠止手段であるラッチボルトの受動孔に挿入されている。
【０００３】
所定の鍵を用いて錠前ユニットのローターを回すとラッチボルトが上下方向にスライドして固定ケースの背面壁部の受溝部に係脱する。ラッチボルトの先端部が受溝部に係合することによって操作ハンドルが固定ケース内の倒伏位置に錠止される。
【先行技術文献】
【特許文献】
【０００４】
【特許文献１】特開２００１−７３５９７号公報
【発明の概要】
【発明が解決しようとする課題】
【０００５】
特許文献１に記載されるハンドル装置の錠前ユニットでは、ラッチボルトを下方向にスライドさせて、ラッチボルトと固定ケースの背面壁部の受溝部との係合を解除して扉を開けるときのみならず、扉を閉めてラッチボルトと固定ケースの背面壁部の受溝部とを係合させるときにも鍵を用いて錠前ユニットのローターを回さなければならない。
【０００６】
扉を閉めて操作ハンドルを固定ケース内の倒伏位置に押し下げたときに、ラッチボルトの先端部が受溝部に自動的に係合すれば操作手順が簡素化される。
本発明の目的は、このような課題を解決するもので、扉を閉めてハンドルを倒伏位置に押し下げたときに、ハンドルが自動的に錠止されるハンドル装置を提供することである。
【課題を解決するための手段】
【０００７】
この課題を解決するために本発明は、キャビネットの扉に取り付けられるハウジングと、このハウジングに対し水平軸心の回りで回動自在に上端近傍が枢支されたハンドルとを備え、前記ハンドルを手前に引く操作によってキャビネット側の係止片に対する係止が外れて扉が開かれるようにしたハンドル装置であって、ハウジングにはハンドルをハウジングに対して下端を飛び出させて傾ける方向に付勢するハンドル付勢手段を設け、ハンドルの下端部にはハンドルが閉状態のときにハウジングに錠止する錠前ユニットが設けられ、前記ハウジングの下端部にはハンドルの錠前ユニットの止め金板に係合する方向に受け金付勢手段によりばね付勢された受け金が回動可能に設けられ、前記錠前ユニットに、前記止め金板を、前記受け金に係合可能な姿勢に付勢する止め金板付勢手段が設けられ、前記止め金板は、前記錠前ユニットの錠前操作のみにより前記受け金に係合しない姿勢とされて、前記ハンドル付勢手段の付勢力によりハンドルの下端が飛び出させて傾ける方向に移動されることを許容する状態となる一方、前記錠前ユニットの錠前非操作時には前記止め金板付勢手段の付勢力により前記受け金に係合可能な姿勢とされ、前記受け金に、錠前非操作状態でハンドルが開状態から閉状態に回動される際に、前記錠前ユニットの止め金板に当接して、ハンドルが閉状態側に回動されることを許容する許容回動方向に前記受け金を回動させる傾斜面と、錠前非操作状態でハンドルが閉状態位置まで回動された際に、前記受け金を前記受け金付勢手段の付勢力により前記許容回動方向とは逆方向に回動されて所定位置に戻され前記錠前ユニットの止め金板に係合する掛け止め部とが形成されていることを特徴とする。
【発明の効果】
【０００８】
請求項１記載の発明によれば、ハンドルの下端部にはハンドルが閉状態のときにハウジングに錠止する錠前ユニットが設けられ、ハウジングの下端部にはハンドルの錠前ユニットの止め金板に係合する方向に受け金付勢手段によりばね付勢された受け金が回動可能に設けられ、ハウジングにはハンドルをハウジングに対して下端を飛び出させて傾ける方向に付勢するハンドル付勢手段を設け、前記錠前ユニットに、前記止め金板を、前記受け金に係合可能な姿勢に付勢する止め金板付勢手段が設けられ、前記止め金板は、前記錠前ユニットの錠前操作のみにより前記受け金に係合しない姿勢とされて、前記ハンドル付勢手段の付勢力によりハンドルの下端が飛び出させて傾ける方向に移動されることを許容する状態となる一方、前記錠前ユニットの錠前非操作時には前記止め金板付勢手段の付勢力により前記受け金に係合可能な姿勢とされ、前記受け金に、錠前非操作状態でハンドルが開状態から閉状態に回動される際に、前記錠前ユニットの止め金板に当接して、ハンドルが閉状態側に回動されることを許容する許容回動方向に前記受け金を回動させる傾斜面と、錠前非操作状態でハンドルが閉状態位置まで回動された際に、前記受け金を前記受け金付勢手段の付勢力により前記許容回動方向とは逆方向に回動されて所定位置に戻され前記錠前ユニットの止め金板に係合する掛け止め部とが形成されているので、錠前ユニットのシリンダーを回し止め金板を下方に移動して収容したときに、止め金板が受け金の掛け止め部から外れ、ハンドルがハンドル付勢手段によってハウジングに対して下端が飛び出して傾いた状態となり、止め金板が上方に突出した状態で扉を閉めてハンドルを倒伏位置に押し下げると、止め金板が受け金付勢手段のばね力に抗して受け金を回動させて受け金の掛け止め部に係合し、ハンドルが自動的に錠止される。
【図面の簡単な説明】
【０００９】
【図１】ハンドル４が閉状態にあるハンドル装置１の正面図である。
【図２】ハンドル４が閉状態にあるハンドル装置１の断面図である。
【図３】ハンドル４が開状態にあるハンドル装置１の断面図である。
【図４】錠前ユニット２４の部品構成を示す斜視図である。
【図５】ハンドル４の断面図である。
【図６】ハンドル４の断面図である。
【発明を実施するための形態】
【００１０】
以下、本発明の第１の実施形態について図１〜図６に基づいて説明する。図１は、ハンドル４が閉状態にあるハンドル装置１の正面図である。図２は、ハンドル４が閉状態にあるハンドル装置１の断面図である。図３は、ハンドル４が開状態にあるハンドル装置１の断面図である。図４は、錠前ユニット２４の部品構成を示す斜視図である。図５および図６は、ハンドル４の断面図である。
【００１１】
ハンドル装置１は、ハウジング２と、フック３と、ハンドル４と、連結板５と、回動板６と、リンク板７，９と、ローラー１７とを備える。ハウジング２には、ボールプランジャー１２と受け金レバー１３とが設けられ、ハンドル４の先端部には、錠前ユニット２４が設けられる。
【００１２】
ハウジング２およびハンドル４は、ともに亜鉛ダイカストで形成される。ハンドル４の一端部には操作者が操作する把手部１４が形成されており、基端部が連結ピン１５によってハウジング２に回転可能に軸支されている。ハンドル４の基端部は、さらに伸延し駆動部１６が形成されている。駆動部１６の先端部にはリンク板７が連結されており、リンク板７にはキャビネットの上部に設けられた受け金に係止する不図示の係止部が連結されている。
【００１３】
金属製のフック３は、一端部をハウジング２に回転可能に軸支されており、ローラー１７を介して駆動部１６の端面に当接している。フック３の端面には、ハンドル４が閉状態のときにキャビネット本体の受け金１８に係止する係止辺１９が形成されている。
金属製の回動板６は一端部がハウジング２に回動可能に軸支されており、他端部にはリンク板９が連結されている。回動板６は連結板５を介してハンドル４に連結されており、リンク板９はハンドル４の操作に伴って上下方向に移動する。リンク板９には、キャビネットの扉の下部に設けられた受け金２０に係止する係止部２１が連結されている。
【００１４】
金属製の受け金レバー１３は、ハウジング２のうちハンドル４の把手部１４で覆われる部分の下端部に、扉の前面と平行な連結ピン２７によって回動可能に軸支されており、受け金レバー１３の端面には、掛け止め部２６が形成されている。掛け止め部２６には、ハンドル４の先端部に設けられた錠前ユニット２４の止め金板３５が係合する。連結ピン２７には、ねじりコイルばね３１が設けられており、ねじりコイルばね３１は、受け金レバー１３をばね付勢する。付勢される受け金レバー１３の先端部はハウジング２下端部の当接面３２に当接している。
【００１５】
ボールプランジャー１２は、ハウジング２のうちハンドル４の把手部１４で覆われる部分の上端部に設けられ、ハンドル４を引き上げる方向に付勢する。
ハンドル４の先端部に設けられた錠前ユニット２４は、シリンダー３６と、止め金板３５と、ねじりコイルばね３７と、抜け止めピン３８とを備える。シリンダー３６は略円筒形であり亜鉛ダイカストで形成される。シリンダー３６の一端面にはマイナスドライバーなどを差し込む溝部３９が形成されており、他端面には止め金板３５の係合孔４０に係合する偏心突起４１が形成されている。シリンダー３６の外周には凹部４２が形成されており、ねじりコイルばね３７が凹部４２に嵌め込まれる。ねじりコイルばね３７の一端部がシリンダー３６に係止され他端部がハンドル４側に係止されて、シリンダー３６をばね付勢する。なお、抜け止めピン３８は、凹部４２の後端部に設けられシリンダー３６の抜け止めを防止する。
【００１６】
止め金板３５は、金属製の平板状で、シリンダー３６の偏心突起４１が係合する係合孔４０を有しており、係合孔４０が偏心突起４１に係止された状態でハンドル４の背面側に挿入される。操作者が溝部３９にマイナスドライバーなどを差し込み、ねじりコイルばね３７のばね力に抗してシリンダー３６を回動させると、偏心突起４１に係止された止め金板３５は、掛け止め部２６から外れて下方に移動し、ハンドル４の内部に引っ込む。
【００１７】
ここでハンドル装置１の動作について説明する。図２に示すハンドル装置１は、ハンドル４が閉状態にあり、シリンダー３６の偏心突起４１に係止された止め金板３５は、ばね付勢されて受け金レバー１３の掛け止め部２６に係合している。
【００１８】
操作者が、溝部３９にマイナスドライバーなどを差し込んで、ねじりコイルばね３７のばね力に抗してシリンダー３６を回動させると、偏心突起４１に係止された止め金板３５が下方に移動しハンドル４の内部に引っ込むので、止め金板３５と掛け止め部２６との係合が解除される。そうすると、ハンドル４はボールプランジャー１２によって少し持ち上げられる。この位置では、操作者が溝部３９に差し込んだマイナスドライバーを抜き取って、止め金板３５がハンドル４から飛び出しても、止め金板３５は掛け止め部２６に係合しない。
【００１９】
操作者が溝部３９からマイナスドライバーを抜き取ると、シリンダー３６は、ねじりコイルばね３７のばね力によって回動して初期の状態に戻る。それにともなって、偏心突起４１に係止された止め金板３５がハンドル４から上方に飛び出して突出した状態となる。
【００２０】
操作者が、把手部１４を持ってハンドル４を手前に引き上げる操作をすると、リンク板７，９に連結された係止部とキャビネットの受け金との係合が解除されるので、ハンドル４を引き上げた状態で手前に引っ張るとキャビネットの扉を開けることができる。
【００２１】
次にハンドル４を錠止する手順について説明する。操作者は、まずハンドル４を手前に引き上げた状態を維持して扉を閉める。扉が閉じられた後に、把手部１４を持ってハンドル４を押し下げる操作をすると、上方に突出した止め金板３５が受け金レバー１３の傾斜面３３に当接する。ハンドル４をさらに押し下げると、受け金レバー１３は、傾斜面３３に当接した止め金板３５に押圧され、ねじりコイルばね３１のばね力に抗して上方に回動する。止め金板３５は、受け金レバー１３の傾斜面３３に沿って移動し、掛け止め部２６に嵌まり込む。このようにしてハンドルが錠止される。
【００２２】
このときリンク板７，９に連結された係止部が各々キャビネットの受け金と係合し、フック３の係止辺１９がキャビネット本体の受け金１８に係止され、扉がキャビネット本体にロックされる。
【００２３】
本実施例においては、所定の鍵を用いることなく、マイナスドライバーなどの汎用性のある工具を用いて解錠を行うので、作業者が鍵を持ち歩き、あるいは所定の場所に鍵を設置しておかなくてもよい。
【００２４】
このように、キャビネットの扉に取り付けられるハウジング２と、このハウジング２に対し水平軸心の回りで回動自在に上端近傍が枢支されたハンドル４とを備え、ハンドル４を手前に引く操作によってキャビネット側の係止片に対する係止が外れて扉が開かれるようにしたハンドル装置１であって、ハウジング２には、ハンドル４をハウジング２に対して下端を飛び出させて傾ける方向に付勢する付勢手段であるボールプランジャー１２が設けられ、ハンドル４の下端部にはハンドル４が閉状態のときにハウジング２に錠止する錠前ユニット２４が設けられ、ハウジング２の下端部にはハンドル４の錠前ユニット２４の止め板金３５に係合する方向にばね付勢された受け金である受け金レバー１３が設けられているので、マイナスドライバーなどで錠前ユニット２４を回し、止め板金３５を下方に移動させて収納したとき、ハンドル４が、ボールプランジャー１２によってハウジング２に対して下端が飛び出して傾いた状態となる。このときマイナスドライバーなどを錠前ユニット２４から抜くことで、錠前ユニット２４内のねじりコイルばね３７の作動により、止め板金３５が上方に移動して突出する。止め板金３５が突出した状態で扉を閉めてハンドル４を倒伏位置に押し下げると、止め金板３５がばね力に抗して受け金レバー１３を回動させて受け金レバー１３に係合し、ハンドル４が自動的に錠止される。
【符号の説明】
【００２５】
１    ハンドル装置
２    ハウジング
３    フック
４    ハンドル
５    連結板
６    回動板
７，９    リンク板
１２    ボールプランジャー
１３    受け金レバー
１４    把手部
１５，２７    連結ピン    
１６    駆動部
１７    ローラー
１８，２０    受け金
１９    係止辺
２１    係止部
２４    錠前ユニット
２６    掛け止め部
３１，３７    ねじりコイルばね
３２    当接面
３３    傾斜面
３５    止め金板
３６    シリンダー
３８    抜け止めピン
３９    溝部
４０    係合孔
４１    偏心突起
４２    凹部
【図１】
0005725752.tif 000002
【図２】
0005725752.tif 000003
【図３】
0005725752.tif 000004
【図４】
0005725752.tif 000005
【図５】
0005725752.tif 000006
【図６】
0005725752.tif 000007